(57)【要約】【課題】衣服等の汚れ部分に洗浄液剤を無駄なく確実に塗布できるとともに、衣服表面に強固に付着している汚れの除去が行えるように、さらに、塗布が自動的に容易に行われるようにする。【解決手段】貯留される衣料用洗浄液剤を衣料面に塗布する衣料用洗浄液剤の塗布装置であり、衣料用洗浄液剤を塗布するための面状の塗布手段４と、塗布手段４において衣料用洗浄液剤の自動塗布を可能とする自動塗布駆動手段２３とを備え、さらに、塗布手段４を振動するための振動付与手段２２を備える衣料用洗浄液剤の塗布装置。【選択図】図３
2017088227.tif 000002
【特許請求の範囲】
【請求項１】
貯留される衣料用洗浄液剤を衣料面に塗布する衣料用洗浄液剤の塗布装置であり、前記衣料用洗浄液剤を塗布するための面状の塗布手段と、前記塗布手段において前記衣料用洗浄液剤の自動塗布を可能とする自動塗布駆動手段とを備えることを特徴とする衣料用洗浄液剤の塗布装置。
【請求項２】
前記塗布手段を振動するための振動付与手段を備えることを特徴とする請求項１記載の衣料用洗浄液剤の塗布装置。
【発明の詳細な説明】
【技術分野】
【０００１】
この発明は、衣服等の部分汚れを除去するための衣料用洗浄液剤の塗布装置に関する。
【背景技術】
【０００２】
衣服の襟や袖に付いた皮脂による部分汚れ等は、洗濯機等での洗濯に先立ってその汚れ部分に専用の洗浄液剤を塗布しておくことによって除去するようにしている。
【発明の概要】
【発明が解決しようとする課題】
【０００３】
従来における上記洗浄液剤の衣服等への塗布は、固形の洗浄液剤を塗り付けたり、また、液状の洗浄液剤をノズルより噴射したりすることで行っているが、汚れ部分に無駄なく確実に塗布することが難しい問題があった。また、汚れが衣服表面に強固に付着している場合は洗浄液剤を塗布しても汚れが十分に除去されない場合があった。とくに、固形の洗浄液剤を塗り付ける場合は衣服等の繊維を傷める問題もあった。
【０００４】
この発明は上記の事情に鑑みて行ったもので、衣服等の汚れ部分に洗浄液剤を無駄なく確実に塗布できるとともに、衣服表面に強固に付着している汚れの除去が行えるようにすることを目的とする。さらに、塗布動作が自動的に容易に行われるようにすることを目的とする。
【課題を解決するための手段】
【０００５】
この発明では、貯留される衣料用洗浄液剤を衣料面に塗布する衣料用洗浄液剤の塗布装置であり、前記衣料用洗浄液剤を塗布するための面状の塗布手段と、前記塗布手段において前記衣料用洗浄液剤の自動塗布を可能とする自動塗布駆動手段とを備えることを特徴とする衣料用洗浄液剤の塗布装置を提供する。
【０００６】
上記構成の衣料用洗浄液剤の塗布装置は、面状の塗布手段を汚れ面に相対するようにして洗浄液剤を塗布することで汚れ上の位置に正確に塗布できるので、洗浄液剤が無駄なく使用されるとともに汚れの除去が良好に行われる。また、洗浄液剤で軟化した汚れの一部が面状の塗布手段によってかき落とされることでも汚れが効果的に除去される。くわえて、自動塗布駆動手段を駆動させることで塗布が自動的に行われる。
【０００７】
塗布手段を振動するための振動付与手段を備える構成とすることで、面状の塗布手段の振動接触により汚れが取れ、かつ、汚れ内へ洗浄液剤が容易に浸透する。
【発明の効果】
【０００８】
この発明によれば、洗浄液剤を衣服等の汚れ部分に無駄なく確実に塗布できるようになって、部分汚れの除去が良好に行えるようになり、とくに、衣服表面に強固に付着している汚れの除去が行えるようになる。くわえて、洗浄液剤の塗布が自動的に容易に行われて作業性が向上される。
【図面の簡単な説明】
【０００９】
【図１】この発明の衣料用洗浄液剤の塗布装置の実施形態の前面側斜視図
【図２】この発明の衣料用洗浄液剤の塗布装置の実施形態の後面側斜視図
【図３】この発明の衣料用洗浄液剤の塗布装置の実施形態の断面図
【図４】この発明の衣料用洗浄液剤の塗布装置の実施形態のブラシ体取り外し状態の部分斜視図
【図５】この発明の衣料用洗浄液剤の塗布装置の実施形態のブラシ体の後面図
【図６】この発明の衣料用洗浄液剤の塗布装置の実施形態の支持体の前端面図
【図７】この発明の衣料用洗浄液剤の塗布装置の実施形態の使用説明図
【図８】この発明の衣料用洗浄液剤の塗布装置の実施形態の使用説明図
【図９】この発明の衣料用洗浄液剤の塗布装置の実施形態のブラシ体の筒壁部分の拡大断面図
【発明を実施するための最良の形態】
【００１０】
図１はこの発明の衣料用洗浄液剤の塗布装置の実施形態の前面側斜視図、図２は同後面側斜視図、図３は同断面図である。
【００１１】
塗布装置１は全体がプラスチックス製で、洗浄液剤を貯留するボトル体２とブラシ体４とブラシ体４をボトル体２に連結支持させる連結支持体１０とから構成されている。
【００１２】
ボトル体２は円筒状のボトル本体１２とヘッド体１４とから構成されている。ボトル本体１２は上部に円筒状接続部１３を備え、その周面にはネジ１５が設けられている。ヘッド体１４は下部に接続円筒空間１７を備え、その内面の下部にネジ１１が設けられ、接続円筒空間１７の上部にはパイプ２１が接続されたポンプ２３が設けられている。接続円筒空間１７の外周位置には環状の収納スペース２０が設けられ、その環状スペース２０内に振動付与モータ２２、電池２６等が収納され、ヘッド体１４の外面にはポンプ２３及び振動付与モータ２２の作動スイッチ２８のそれぞれが設けられるとともに、電池２６の取り換え蓋２９が設けられている。振動付与モータ２２の駆動軸にはその周面が接触片１５に接触し回転時にヘッド体１４に振動を発生させるカムリング３３が付設されている。ヘッド体１４の上部には円筒基部３４が設けられ、その上部には上方が開放する受け部３６が形成され、受け部３６の両方の側面部４１の内面には軸支持凸部３７のそれぞれが設けられ、後面部４３の上縁には位置決め切欠き３９が設けられている。ヘッド体１４は接続円筒空間１７部分が円筒状接続部１３に外嵌されてネジ１１がネジ１５に螺合されることでボトル本体１２の上部に装着されている。
【００１３】
ブラシ体４はシリコン樹脂の一体成形品であり、内部に洗浄液剤の導入スペース３０を持つ扁平で長方形のベース体３２を備え、そのベース体３２の前面をブラシ面４４とし、後面には、図４に示すように、円形の連結部３５が突設されている。ベース体３２の前面部３８にはブラシ面４４と導入スペース３０とを連通する４個の通孔４０が設けられ、連結部３５には導入スペース３０と外部とを連通する連結通孔４２が設けられている。連結通孔４２の内側には筒壁８０が導入スペース３０内に突出形成され、その筒壁８０の端部開口には筒状で両端開口にメッシュシート８２が取り付けられた泡発生部材８１が嵌合固着されている。連結部３５の後面の連結通孔４２の周囲には、図５に示すように、一対の連結嵌合溝４６が形成されている。連結嵌合溝４６は一端に設けられた幅広の嵌入部４７から連続して内部が幅広となった係止溝部４９が設けられ、その係止溝部４９の奥面の所定位置の４か所には係止凹部５０ａ、５０ｂ、５０ｃ、５０ｄのそれぞれが設けられている。
【００１４】
連結支持体１０は接続基部６０から延び出す吐出口端部６２に連結筒部６４が圧入固定されて装着されており、図６に示すように、連結筒部６４の前端面の互いに相反する位置に一対の嵌入片６６が外方に突設され、その嵌入片６６面には係止凸部６８が形成されている。接続基部６０は角筒形態でその上面部７０の基端側を曲面としており、その曲面の近傍に位置決め凸部７２が形成されている。また、両方の側面部７４の外面には軸支持凹部７６のそれぞれが設けられている。
【００１５】
連結支持体１０はその側面部７４の軸支持凹部７６のそれぞれにヘッド体１４の側面部４１の軸支持凸部３７のそれぞれが嵌入されることでボトル体２の上部に回動可能に取り付けられ、その取り付けはヘッド体１４の側面部４１が弾力的に開かれることで行われる。この取り付けに際しては、ボトル体２側から延び出すパイプ２１の端部が連結支持体１０の吐出口端部６２の内側に挿入連結される。ボトル体２に取り付けられた連結支持体１０の連結筒部６４の嵌入片６６のそれぞれが、連結嵌合溝４６の嵌入部４７それぞれに嵌入され相対的に回転されて係止溝部４９に位置されることで、連結支持体１０にブラシ体４が取り付けられる。嵌入片６６と連結嵌合溝４６とは嵌入片６６が係止溝部４９に係止する状態においてガタつくことなく安定するように寸法設計されている。
【００１６】
以下、動作説明を行う。両方の作動スイッチ２８を押すことでポンプ２３が作動するとともに振動付与モータ２２が駆動される。これによりブラシ体４がボトル体２のヘッド体１４、連結支持体１０とともに振動し、その振動状態においてボトル本体１２内の洗浄液剤がパイプ２１、ポンプ２３、パイプ２１、連結支持体１０の吐出口端部６２、泡発生部材８１を介してブラシ体４のベース体３２の導入スペース３０内に至り、通孔４０それぞれを通ってブラシ面４４の全体から吐出される。洗浄液剤は泡発生部材８１の２枚のメッシュシート８２を通過することで極めて細かい泡となって吐出される。これによりブラシ面４４が衣料の汚れが付着した部分に接触されることで泡状の洗浄液剤の塗布が行われる。その際、ブラシ面４４が汚れ面に当接されて振動しながら擦り合されることで軟化した汚れの一部がかき落とされるとともに、洗浄液剤は極めて細かい泡形態であるとともに振動があることで汚れ部分に効率良く浸透する。この状態において洗濯機に投入される等して衣服の洗濯がなされることで汚れが効果的に除去される。また、ブラシ面４４を汚れ面に相対させて洗浄液剤を塗布することで、汚れ上に正確に洗浄液剤が無駄なく使用されるとともに汚れの除去が良好に行われる。なお、ブラシ面４４がシリコン樹脂よりなり柔らかいことで、ブラシ面４４の接触による衣服面の損傷は回避される。なお、スイッチ２８の片方のみを押すことで、振動を加えることなく洗浄液剤の塗布のみが行える。
【００１７】
図１、図２に示す状態ではブラシ体４を縦方向として使用しており、この状態においてはブラシ体４の係止溝部４９の係止凹部５０ａ、５０ｂのそれぞれに連結支持体１０の連結筒部６４の係止凸部６８のそれぞれが係止している。図７ではブラシ体４を横方向として使用しており、この状態においては係止凹部５０ｃ、５０ｄのそれぞれに係止凸部６８のそれぞれが係止してブラシ体４は安定保持されている。このようにしてブラシ体４の方向が変更できることで、各種形態の衣料や汚れに対応して便利に使用される。
【００１８】
図８は連結支持体１０をヘッド体１４の側面部４１への軸支位置を中心として回動させて垂直状態としたもので、この垂直状態は連結支持体１０の接続基部６４の位置決め凸部７２がヘッド体１４の位置決め切欠き３９に係止している。このように連結支持体１０を垂直状態とすることでボトル体２を持ってブラシ面４４で汚れ面を叩くようにして洗浄液剤を塗布することができ、洗浄液剤を汚れ内部に効率よく浸透させることができる。
【００１９】
また、ブラシ体４のベース体３２の導入スペース３０内に洗浄液剤を注入した段階で、図４に示すように、ブラシ体４を連結支持体１０から取り外して手に持って汚れ面上に塗布できる。このようにブラシ体４を手に持って塗布できることで重量のあるボトル体を持つことなく、また、各種形態の衣料や汚れに対応して汚れ面上に確実に洗浄液剤を塗布できる。その際、ベース体３２内に筒壁８０が突出形成されていることで、導入スペース３０内の洗浄液剤が外部へ流れ出すことが阻止される。
【符号の説明】
【００２０】
１  洗浄液剤の塗布装置
２  ボトル体
４  ブラシ体
１０  連結支持体
２２  振動付与モータ
２３  ポンプ
【図１】
2017088227.tif 000003
【図２】
2017088227.tif 000004
【図３】
2017088227.tif 000005
【図４】
2017088227.tif 000006
【図５】
2017088227.tif 000007
【図６】
2017088227.tif 000008
【図７】
2017088227.tif 000009
【図８】
2017088227.tif 000010
【図９】
2017088227.tif 000011